(57)【要約】【課題】レバーの倍力作用を利用してハウジング同士の嵌合を行うレバー式コネクタにおいて、嵌合時の作業性の低下を来すことなく、レバーの回動角度を小さく設定できるようにする。【解決手段】両ハウジング１０，６０の嵌合が開始してからタブ２１と雌端子金具６１との接触に起因する嵌合抵抗が発生するまでの間は、レバー４０の回動に伴うカム溝４２とカムフォロア３４，６２との係合による倍力作用が発揮されず、嵌合抵抗が発生してから両ハウジング１０，６０の嵌合が完了するまでの間は、レバー４０の回動に伴うカム溝４２とカムフォロア３４，６２との係合による倍力作用が発揮される。【選択図】図１
2010140701.tif 000002
【特許請求の範囲】
【請求項１】
前方に開口するフード部を有する雄ハウジングと、
前記雄ハウジングに取り付けられて、前端部のタブを前記フード部内に突出させた複数の雄端子金具と、
前記フード部内に収容され、前記タブを前方へ貫通させた状態で前記タブと平行な方向への移動を可能とされたムービングプレートと、
内部に雌端子金具が収容されているとともに、外面にハウジング側カムフォロアが形成され、前記フード部内へ前記タブと平行な方向に嵌合されるようになっている雌ハウジングと、
前記雄ハウジングに、初期位置と嵌合位置との間での回動を可能に支持されたレバーと、
前記雄ハウジングに対し、前記雌雄両ハウジングの嵌合方向と平行な方向への相対移動を可能に取り付けられたスライダとを備えて構成され、
前記スライダと前記レバーは、前記雌雄両ハウジングの嵌合方向と交差する方向の溝部と前記溝部に摺動可能に係合された連結部とを介して連結され、
前記カム溝には、前記ムービングプレートに形成したプレート側カムフォロアが係合され、前記レバーが初期位置にあるときには、前記ムービングプレートが最も前方に位置して前記タブの前記ムービングプレートからの突出寸法が最小となり、前記レバーが嵌合位置にあるときには、前記ムービングプレートが最も後方に位置して前記タブの前記ムービングプレートからの突出寸法が最大となるようになっており、
前記雌雄両ハウジングを嵌合する際には、前記雌ハウジングを前記フード部内に浅く嵌入して前記ハウジング側カムフォロアを前記カム溝の入口に進入させた状態で、前記雌ハウジングと前記スライダとを互いに接近させるように相対移動させることにより、前記レバーを初期位置から嵌合位置へ回動させるようになっており、
前記雌雄両ハウジングの嵌合の途中で、前記タブと前記雌ハウジングとの接続に起因する嵌合抵抗が発生し、この嵌合抵抗が前記雌雄両ハウジングが嵌合されるまで継続するようになっているレバー式コネクタであって、
前記カム溝は、
前記雌雄両ハウジングの嵌合が開始してから前記嵌合抵抗が発生するまでの間は、前記レバーの回動に伴う前記カムフォロアとの係合による倍力作用が発揮されず、且つ
前記嵌合抵抗が発生してから前記雌雄両ハウジングの嵌合が完了するまでの間は、前記レバーの回動に伴う前記カムフォロアとの係合による倍力作用が発揮される形態とされていることを特徴とするレバー式コネクタ。
【請求項２】
前記カム溝は、前記雌雄両ハウジングを嵌合する過程で前記ハウジング側カムフォロアを摺接させる嵌合用カム面を有しており、
前記プレート側カムフォロアは、前記雌雄両ハウジングの嵌合過程において前記嵌合用カム面とは非接触の形状とされ、前記雌ハウジングに押されることによって後方へ移動するようになっていることを特徴とする請求項１記載のレバー式コネクタ。
【請求項３】
前記カム溝は、前記雌雄両ハウジングを離脱するときに前記プレート側カムフォロアが摺接するプレート側離脱用カム面と、前記雌雄両ハウジングを離脱するときに前記ハウジング側カムフォロアが摺接するハウジング側離脱用カム面とを有しており、
前記雌雄両ハウジングの離脱過程の初期においては、前記ハウジング側カムフォロアと前記ハウジング側離脱用カム面は摺接するが、前記プレート側カムフォロアと前記プレート側離脱用カム面は非接触であることを特徴とする請求項１又は請求項２記載のレバー式コネクタ。
【発明の詳細な説明】
【技術分野】
【０００１】
本発明は、レバー式コネクタに関するものである。
【背景技術】
【０００２】
特許文献１には、フード部を有する雄ハウジングと、雄ハウジングに回動可能に取り付けたレバーと、フード部に嵌合される雌ハウジングと、フード部内において雄端子金具を貫通させた状態で両ハウジングの嵌合方向と平行に移動可能なムービングプレートとを備えたレバー式コネクタが開示されている。
【０００３】
このレバー式コネクタにおいて両ハウジングを嵌合させる際には、まず、レバーが初期位置にある状態で、雌ハウジングをフード部に浅く嵌入することにより、ムービングプレートのカムピンに雌ハウジングのカムピンを合体させる。この後、この両カムピンをレバーのカム溝に係合させた状態で、レバーを初期位置から嵌合位置まで回動させる。レバーを回動させると、カムピンとカム溝との係合による倍力作用が発揮され、雌ハウジングがフード部内に引き込まれて両ハウジングが嵌合されるようになっている。
【０００４】
このレバー式コネクタでは、両ハウジングを嵌合する際にレバーが初期位置から嵌合位置に至るまでの間、倍力作用が発揮され続けるのであるが、倍力作用が発揮されるためには、両ハウジングの嵌合ストロークに対するレバーの回動角度の比率を大きく設定する必要がある。つまり、両ハウジングの嵌合ストロークが大きくなるほど、レバーの回動角度も大きくなるのである。
【０００５】
一方、両ハウジングの嵌合が開始されるときには、雄端子金具を位置決めするために、雄端子金具の先端部をムービングプレートから突出させているのであるが、雄端子金具を異物の干渉から保護するという観点からは、雄端子金具の突出寸法を小さくすることが好ましい。雄端子金具の突出寸法を小さくするためには、ムービングプレートをできるだけフード部の先端に近い位置で待機させるおく必要があるが、ムービングプレートがフード部の先端に近くなるほど、両ハウジングの嵌合ストロークが大きくなる。つまり、雄端子金具の保護を図るためには、レバーの回動角度が大きくなってしまう。
【特許文献１】特開平１１−０６７３３８号公報
【発明の開示】
【発明が解決しようとする課題】
【０００６】
上記のレバー式コネクタでは、レバーが雄ハウジング及び雌ハウジングの外面に沿って回動するようになっているため、レバーの回動経路を設定することに関しては厳しい制約がない。したがって、レバーの回動角度を大きく設定することによって、雄端子金具のムービングプレートからの突出寸法を小さくして雄端子金具の保護を図ることは容易である。
【０００７】
しかし、レバーを箱状のスライダ内に収容した形態のレバー式コネクタでは、レバーの回動を許容するために確保できるスペースに制約があため、レバーの回動角度を十分大きく設定することができず、雄端子金具のムービングプレートからの突出寸法が大きくならざるを得ない場合が懸念される。この場合、雄端子金具の保護と倍力作用のいずれかを犠牲にせざるを得ない。
【０００８】
本発明は上記のような事情に基づいて完成されたものであって、レバーの倍力作用を利用してハウジング同士の嵌合を行うレバー式コネクタにおいて、嵌合時の作業性の低下を来すことなく、レバーの回動角度を小さく設定できるようにすることを目的とする。
【課題を解決するための手段】
【０００９】
上記の目的を達成するための手段として、請求項１の発明は、前方に開口するフード部を有する雄ハウジングと、前記雄ハウジングに取り付けられて、前端部のタブを前記フード部内に突出させた複数の雄端子金具と、前記フード部内に収容され、前記タブを前方へ貫通させた状態で前記タブと平行な方向への移動を可能とされたムービングプレートと、内部に雌端子金具が収容されているとともに、外面にハウジング側カムフォロアが形成され、前記フード部内へ前記タブと平行な方向に嵌合されるようになっている雌ハウジングと、前記雄ハウジングに、初期位置と嵌合位置との間での回動を可能に支持されたレバーと、前記雄ハウジングに対し、前記雌雄両ハウジングの嵌合方向と平行な方向への相対移動を可能に取り付けられたスライダとを備えて構成され、前記スライダと前記レバーは、前記雌雄両ハウジングの嵌合方向と交差する方向の溝部と前記溝部に摺動可能に係合された連結部とを介して連結され、前記カム溝には、前記ムービングプレートに形成したプレート側カムフォロアが係合され、前記レバーが初期位置にあるときには、前記ムービングプレートが最も前方に位置して前記タブの前記ムービングプレートからの突出寸法が最小となり、前記レバーが嵌合位置にあるときには、前記ムービングプレートが最も後方に位置して前記タブの前記ムービングプレートからの突出寸法が最大となるようになっており、前記雌雄両ハウジングを嵌合する際には、前記雌ハウジングを前記フード部内に浅く嵌入して前記ハウジング側カムフォロアを前記カム溝の入口に進入させた状態で、前記雌ハウジングと前記スライダとを互いに接近させるように相対移動させることにより、前記レバーを初期位置から嵌合位置へ回動させるようになっており、前記雌雄両ハウジングの嵌合の途中で、前記タブと前記雌ハウジングとの接続に起因する嵌合抵抗が発生し、この嵌合抵抗が前記雌雄両ハウジングが嵌合されるまで継続するようになっているレバー式コネクタであって、前記カム溝は、前記雌雄両ハウジングの嵌合が開始してから前記嵌合抵抗が発生するまでの間は、前記レバーの回動に伴う前記カムフォロアとの係合による倍力作用が発揮されず、且つ前記嵌合抵抗が発生してから前記雌雄両ハウジングの嵌合が完了するまでの間は、前記レバーの回動に伴う前記カムフォロアとの係合による倍力作用が発揮される形態とされているところに特徴を有する。
【００１０】
請求項２の発明は、請求項１に記載のものにおいて、前記カム溝は、前記雌雄両ハウジングを嵌合する過程で前記ハウジング側カムフォロアを摺接させる嵌合用カム面を有しており、前記プレート側カムフォロアは、前記雌雄両ハウジングの嵌合過程において前記嵌合用カム面とは非接触の形状とされ、前記雌ハウジングに押されることによって後方へ移動するようになっているところに特徴を有する。
【００１１】
請求項３の発明は、請求項１または請求項２に記載のものにおいて、前記カム溝は、前記雌雄両ハウジングを離脱するときに前記プレート側カムフォロアが摺接するプレート側離脱用カム面と、前記雌雄両ハウジングを離脱するときに前記ハウジング側カムフォロアが摺接するハウジング側離脱用カム面とを有しており、前記雌雄両ハウジングの離脱過程の初期においては、前記ハウジング側カムフォロアと前記ハウジング側離脱用カム面は摺接するが、前記プレート側カムフォロアと前記プレート側離脱用カム面は非接触であるところに特徴を有する。
【発明の効果】
【００１２】
＜請求項１の発明＞
雌雄両ハウジングを嵌合する過程において嵌合が開始してから嵌合抵抗が発生するまでの間は、レバーの倍力作用によらず、作業者がスライダと雌ハウジングに付与した嵌合操作力だけで両ハウジングの嵌合が円滑に進む。この間、レバーには倍力機能が要求されないので、レバーの回動角度は小さくて済む。
【００１３】
そして、嵌合抵抗が発生してから嵌合が完了するまでの間は、作業者の嵌合操作力にレバーが発揮する倍力作用が加わり、嵌合抵抗を上回る嵌合力が両ハウジングに付与されるので、作業者は、小さな嵌合操作力によって両ハウジングを円滑に嵌合させることができる。
【００１４】
本発明のレバー式コネクタは、雌雄両ハウジングの嵌合過程において、タブと雌端子金具との接続に起因する嵌合抵抗が発生するまでの間は、レバーに倍力作用を発揮させないようにしているので、その間におけるレバーの回動角度を小さく抑えることができる。したがって、嵌合過程の全領域においてレバーに倍力作用を発揮させる場合に比べると、レバーの初期位置から嵌合位置まで回動角度を小さく抑えることができる。
【００１５】
＜請求項２の発明＞
雌雄両ハウジングの嵌合時には、プレート側カムフォロアとカム溝との間では摺動抵抗が発生しないので、その分、嵌合操作力が低減される。
【００１６】
＜請求項３の発明＞
雌雄両ハウジングの離脱が開始するときには、タブと雌端子金具との接触に起因する嵌合抵抗が一時的に大きくなる。この点に鑑み、本発明では、雌雄両ハウジングの離脱過程の初期には、プレート側カムフォロアとプレート側離脱用カム面とを非接触として、これらの間に摩擦抵抗が生じないようにしている。これにより、プレート側カムフォロアとプレート側離脱用カム面との接触に起因する離脱抵抗の発生を回避し、離脱開始時の操作力の低減を実現している。
【発明を実施するための最良の形態】
【００１７】
＜実施形態１＞
以下、本発明を具体化した実施形態１を図１乃至図１１を参照して説明する。本実施形態のレバー式コネクタは、雄ハウジング１０と、雄端子金具２０と、ムービングプレート３０と、レバー４０と、スライダ５０と、雌ハウジング６０とを備えて構成されている。
【００１８】
雄ハウジング１０は、端子収容部１１と、端子収容部１１の前端から突出して前方（図１〜図６における上方）へ開口するフード部１２とを一体形成したものである。端子収容部１１内には、複数のキャビティ（図示せず）が形成され、各キャビティ内には後方から雄端子金具２０が挿入されている。雄端子金具２０は、前端部に細長いタブ２１を有し、タブ２１は、端子収容部１１の前端面（フード部１２の奥端面）から前方（両ハウジング１０，６０の嵌合・離脱方向と平行な方向）へ突出し、フード部１２によって包囲されている。
【００１９】
雄ハウジング１０の外面には、一対の支持軸１３が形成されている。この一対の支持軸１３は、雄ハウジング１０の前端面と直角な前後方向の対称軸（図示せず）に関して点対称な位置に配置されている。また、フード部１２には、支持軸１３の前方を切欠した形態であって、フード部１２の前端縁に開口する逃がし溝（図示せず）が形成されている。
【００２０】
フード部１２内には、ムービングプレート３０が前後方向（両ハウジング１０，６０の嵌合・離脱方向と平行に方向）への移動を可能に収容されている。ムービングプレート３０は、両ハウジング１０，６０の嵌合方向と直角な板状をなすプレート本体３１と、プレート本体３１の周縁から前方へ突出する周壁３２とを一体に形成した形態である。プレート本体３１には、複数のタブ２１を個別に貫通させるための複数の位置決め孔３３が形成されている。
【００２１】
また、周壁３２には、一対のプレート側カムフォロア３４が形成されている。この一対のプレート側カムフォロア３４は、一対の支持軸１３と同様に、雄ハウジング１０（プレート本体３１）の前端面と直角な前後方向の対称軸（図示せず）に関して点対称な位置に配置されている。プレート側カムフォロア３４は、円柱の中央部を前後方向に貫通切除して一対の弓形断面の突片３５を残した形態とされている。両突片３５の間隙は、雌ハウジング６０のハウジング側カムフォロア６２を嵌合されるための嵌合空間３６となっている。周壁３２には、この嵌合空間３６に連なる嵌合溝３７が、周壁３２の前端縁に開口するように形成されている。また、両突片３５の先端同士は、嵌合空間３６と対応する形状の端板部３８によって連結されている。かかるプレート側カムフォロア３４は、フード部１２の逃がし溝に嵌合されている。
【００２２】
雄ハウジング１０に形成した一対の支持軸１３には、夫々、一枚板状をなすレバー４０が回動可能に取り付けられている。レバー４０は、雄ハウジング１０の外面に沿って図１及び図２に示す初期位置と、図４に示す嵌合位置との間で回動し得るようになっている。この一対のレバー４０も、支持軸１３及びプレート側カムフォロア３４と同様に、雄ハウジング１０及びムービングプレート３０の前端面と直角な前後方向の対称軸（図示せず）に関して点対称な形態及び配置とされている。
【００２３】
レバー４０には、その支持軸１３から遠い先端部から外面側へ突出する円柱状の連結部４１が形成されている。また、レバー４０には、その内面を凹ませた形態のカム溝４２が形成されている。このカム溝４２は、その先端側から奥端側に向かって支持軸１３からの距離が次第に短くなるような湾曲した形状である。このカム溝４２は、その長さ方向に沿って内外一対の内側面を有しているが、この一対の内側面のうち支持軸１３から遠い外側の内側面は、嵌合用カム面４３となっている。
【００２４】
一方、支持軸１３に近い内側の内側面に関しては、そのレバー４０の内面側の領域がハウジング側離脱用カム面４４となっており、このハウジング側離脱用カム面４４よりもレバー４０の外面側の領域がプレート側離脱用カム面４５となっている。カム溝４２のうち嵌合用カム面４３とハウジング側離脱用カム面４４とで挟まれた空間（後述するハウジング側カムフォロア６２が嵌入する空間）は、レバー４０の外周面に開口する入口４６を有している。一方、カム溝４２のうちプレート側離脱用カム面４５と対応する空間は、レバー４０の外周面には開口されていない。また、両離脱用カム面４４，４５は、その長さ方向における略中央位置から奥端までの領域において同一の形状であるのに対し、長さ方向における略中央位置からプレート側離脱用カム面４５の先端までの領域においては互いに異なる形状となっている。
【００２５】
スライダ５０は、前後方向に貫通する角筒状をなし、雄ハウジング１０とレバー４０に対しこの両者の各なくとも一部を包囲する形態で取り付けられている。このスライダ５０は、雄ハウジング１０に対し、両ハウジング１０，６０の嵌合・離脱方向と平行に後方へ相対移動し得るようになっている。このスライダ５０には、両ハウジング１０，６０の嵌合・離脱方向と直交する一対の溝部５１が形成されいる。この一対の溝部５１は、上記した支持軸１３、プレート側カムフォロア３４及びレバー４０と同様に、雄ハウジング１０（プレート本体３１）の前端面と直角な前後方向の対称軸（図示せず）に関して点対称な形態及び配置とされている。この溝部５１には、レバー４０の連結部４１が相対的に摺動し得るように係合され、この溝部５１と連結部４１とによりレバー４０とスライダ５０とが連結されている。これにより、スライダ５０の前後方向の動きが、レバー４０の回動動作に変換されるようになっている。
【００２６】
雌ハウジング６０は、全体としてブロック状をなし、その内部には雄端子金具２０と対応するように複数の雌端子金具６１が収容されている。雌端子金具６１内には、タブ２１に対して弾性的に接触する周知形態の弾性接触片（図示せず）が収容されている。雌ハウジング６０の外側面には、一対のハウジング側カムフォロア６２が突出して形成されている。この一対のハウジング側カムフォロア６２も、一対のプレート側カムフォロア３４と同様、雄ハウジング１０及びムービングプレート３０の前端面と直角な前後方向の対称軸（図示せず）に関して点対称な形態及び配置とされている。このハウジング側カムフォロア６２は、全体として前後方向に長い略方形をなし、その前後両端面は円弧状をなしている。
【００２７】
次に、両ハウジング１０，６０を嵌合する作業について説明する。両ハウジング１０，６０の嵌合に先立ち、予め、図１に示すように、スライダ５０が雄ハウジング１０に対して最も後方の位置に保持され、このとき、レバー４０は初期位置にある。レバー４０が初期位置にある状態では、嵌合用カム面４３の入口４６が前方に開口する。また、ムービングプレート３０がその移動範囲における最も前端に位置し、このときのタブ２１のムービングプレート３０からの突出寸法が最小となる。
【００２８】
この状態から両ハウジング１０，６０を嵌合する際には、図２に示すように、雌ハウジング６０をフード部１２内に浅く嵌入することにより、ハウジング側カムフォロア６２を嵌合溝３７に沿って移動させながらプレート側カムフォロア３４の嵌合空間３６内に嵌合させると同時に、カム溝４２の入口４６に進入させる。このとき、雌ハウジング６０の先端面がムービングプレート３０のプレート本体３１の前端面に当接する。また、タブ２１は、雌ハウジング６０内に進入するが、雌端子金具６１とは非接触である。
【００２９】
この後、作業者は、スライダ５０と雌ハウジング６０を掴んで互いに接近させることにより、スライダ５０を雄ハウジング１０に対して相対的に前方へ移動させる。このスライダ５０の相対移動に伴い、レバー４０が回動を開始し、図３に示すように嵌合が半分程度進む。この前半の嵌合過程では、タブ２１と雌端子金具６１は非接触であるか、若しくは接触しても殆ど嵌合抵抗が発生しない状態が維持される。一方、カムフォロア３４，６２とカム面４３，４４，４５は非接触であるか、接触しても倍力作用は発揮されない。したがって、両ハウジング１０，６０の嵌合は、作業者が雌ハウジング６０とスライダ５０に付与した嵌合操作力だけで円滑に行われる。また、この前半の嵌合過程では、両ハウジング１０，６０の嵌合方向に対する嵌合用カム面４３と両離脱用カム面４４，４５の傾斜角度は、最大でも４５°程度と比較的小さい角度であるので、両ハウジング１０，６０の嵌合ストロークがほぼ半分まで進んでも、レバー４０の回動角度は、レバー４０の初期位置から嵌合位置に至る最大回動角度の約１／３である。
【００３０】
嵌合過程の前半が終了した時点から、引き続き、作業者がスライダ５０と雌ハウジング６０を更に接近させると、レバー４０の回動と両ハウジング１０，６０の嵌合が更に進み、両ハウジング１０，６０が図４に示す正規の嵌合状態に至る。両ハウジング１０，６０が正規嵌合した状態では、レバー４０が嵌合位置に到達し、ムービングプレート３０が最も後方に位置して端子収容部１１の前端面（フード部１２の奥端面）に当接し、タブ２１のムービングプレート３０からの突出寸法が最大となる。
【００３１】
この後半の嵌合過程では、タブ２１が雌端子金具６１に弾性接触片に接触するため、弾性接触片の弾性復元力に起因する摩擦抵抗が嵌合抵抗となり、この嵌合抵抗は両ハウジング１０，６０の嵌合が完了するまで継続する。一方、ハウジング側カムフォロア６２は、後半の嵌合過程では嵌合用カム面４３に摺接し、この摺接によって倍力作用が発揮される。これにより、作業者が雌ハウジング６０とスライダ５０に付与している接近方向の操作力に、倍力作用が加わるので、タブ２１と雌端子金具６１の接触に起因する嵌合抵抗を上回る大きな嵌合力が両ハウジング１０，６０に付与されることになり、作業者は、小さい嵌合操作力で両ハウジング１０，６０の嵌合を円滑に進めることができる。
【００３２】
尚、この後半の嵌合過程では、倍力作用が発揮されるため、両ハウジング１０，６０の嵌合方向に対する嵌合用カム面４３の傾斜角度は、最小でも４５°より大きく、最大では直角に近い角度となる。したがって、両ハウジング１０，６０の嵌合ストロークは前半の嵌合過程とほぼ同じであるのに対し、レバー４０の回動角度は、レバー４０の初期位置から嵌合位置に至る最大回動角度の約２／３、つまり、前半の嵌合過程におけるレバー４０の回動角度のほぼ２倍となる。
【００３３】
本実施形態のレバー式コネクタは、両ハウジング１０，６０の嵌合過程において、タブ２１と雌端子金具６１との接続に起因する嵌合抵抗が発生するまでの間は、レバー４０に倍力作用を発揮させないようにしているので、その間におけるレバー４０の回動角度を小さく抑えることができる。したがって、嵌合過程の全領域においてレバー４０に倍力作用を発揮させる場合に比べると、レバー４０の初期位置から嵌合位置まで回動角度を小さく抑えることができる。
【００３４】
また、両ハウジング１０，６０の嵌合が開始してから、嵌合が完了するまでの全嵌合過程において、プレート側カムフォロア３４は嵌合用カム面４３には接触せず、ムービングプレート３０は、雌ハウジング６０に押されることによってフード部１２内を雌ハウジング６０と一体となって後方（奥方）へ移動する。このように、両ハウジング１０，６０の嵌合の際には、プレート側カムフォロア３４とカム溝４２との間で摺動抵抗が発生しないので、その分、嵌合操作力が低減されている。
【００３５】
次に、両ハウジング１０，６０の離脱の作業について説明する。両ハウジング１０，６０を離脱する際には、スライダ５０と雌ハウジング６０とを離間させる。すると、レバー４０が嵌合位置から初期位置側への回動を開始する。両ハウジング１０，６０の離脱過程の初期（図４〜図５に至る離脱過程）においては、プレート側カムフォロア３４はプレート側離脱用カム面４５と非接触であるため、ムービングプレート３０は雄ハウジング１０に対して相対移動しない。一方、ハウジング側カムフォロア６２はハウジング側離脱用カム面４４と摺接するので、この摺接による倍力作用により、雌ハウジング６０が雄ハウジング１０に対して離脱方向へ相対移動する。
【００３６】
さて、両ハウジング１０，６０の離脱が開始するときには、タブ２１と雌端子金具６１の弾性接触片との接触に起因する嵌合抵抗が一時的に大きくなる。この点に鑑み、本実施形態では、両ハウジング１０，６０の離脱過程の初期に、プレート側カムフォロア３４とプレート側離脱用カム面４５とを非接触として、このプレート側カムフォロア３４とプレート側離脱用カム面４５との間に摩擦抵抗が生じないようにしている。これにより、プレート側カムフォロア３４とプレート側離脱用カム面４５との接触に起因する離脱抵抗の発生を回避し、離脱開始時の操作力の低減を実現している。
【００３７】
この後は、図６に示すように、ハウジング側カムフォロア６２とハウジング側離脱用カム面４４との摺接が継続することにより、倍力作用によって雌ハウジング６０の雄ハウジング１０に対する離脱方向の移動が進む。一方、プレート側カムフォロア３４とプレート側離脱用カム面４５との摺接も行われるので、ムービングプレート３０も、雄ハウジング１０に追従するように前方（雌ハウジング６０と同じ方向）へ相対移動する。
【００３８】
そして、レバー４０が初期位置に到達すると、図２に示すように、ハウジング側カムフォロア６２がカム溝４２の入口４６に到達する。また、ムービングプレート３０が雌ハウジング６０に追いついて当接した状態となる。この後は、スライダ５０を雄ハウジング１０に対してスライドさせずに、雌ハウジング６０を雄ハウジング１０から外せばよい。
【００３９】
＜他の実施形態＞
本発明は上記記述及び図面によって説明した実施形態に限定されるものではなく、例えば次のような実施態様も本発明の技術的範囲に含まれる。
【００４０】
（１）上記実施形態では、スライダに溝部を形成し、レバーに連結部を形成したが、これとは逆に、レバーに溝部を形成し、スライダに連結部を形成してもよい。
【００４１】
（２）上記実施形態では、スライダが雄ハウジングとレバーを包囲するような角筒状であったが、スライダは、角筒状以外の形態であってもよい。
【００４２】
（３）上記実施形態では、プレート側カムフォロアは、雌雄両ハウジングの嵌合過程で嵌合用カム面と接触しない形態としたが、プレート側カムフォロアは、雌雄両ハウジングの嵌合過程で嵌合用カム面と接触する形態としてもよい。
【００４３】
（４）上記実施形態では、雌雄両ハウジングの離脱過程の初期には、プレート側カムフォロアとプレート側離脱用カム面とを非接触としたが、雌雄両ハウジングの離脱過程の初期に、プレート側カムフォロアとプレート側離脱用カム面とが接触するようにしてもよい。
【図面の簡単な説明】
【００４４】
【図１】実施形態１においてレバーが初期位置にあり、雌雄両ハウジングが離脱している状態をあらわす断面図
【図２】レバーが初期位置にあり、雌ハウジングをフード部に浅く嵌入した状態をあらわす断面図
【図３】両ハウジングの嵌合途中の状態をあらわす断面図
【図４】両ハウジングが嵌合した状態をあらわす断面図
【図５】両ハウジングの離脱が開始した状態をあらわす断面図
【図６】両ハウジングの離脱の途中の状態をあらわす断面図
【図７】ムービングプレートの正面図
【図８】ムービングプレートの側面図
【図９】レバーの側面図
【図１０】初期位置にあるレバーのカム溝にカムフォロアが係合している状態をあらわす一部切欠側面図
【図１１】図１のＡ−Ａ線断面図
【符号の説明】
【００４５】
１０…雄ハウジング
１２…フード部
２０…雄端子金具
２１…タブ
３０…ムービングプレート
３４…プレート側カムフォロア
４０…レバー
４１…連結部
４２…カム溝
４３…嵌合用カム面
４４…ハウジング側離脱用カム面
４５…プレート側離脱用カム面
５０…スライダ
５１…溝部
６０…雌ハウジング
６１…雌端子金具
６２…ハウジング側カムフォロア
【図１】
2010140701.tif 000003
【図２】
2010140701.tif 000004
【図３】
2010140701.tif 000005
【図４】
2010140701.tif 000006
【図５】
2010140701.tif 000007
【図６】
2010140701.tif 000008
【図７】
2010140701.tif 000009
【図８】
2010140701.tif 000010
【図９】
2010140701.tif 000011
【図１０】
2010140701.tif 000012
【図１１】
2010140701.tif 000013